(57)【要約】【課題】送信器を操作する者に表示装置における表示状態を認識させる。【解決手段】送信器Ａは、信号処理部１と、押釦スイッチからなる在席及び空席用スイッチ２ａ，２ｂと、ワイヤレス信号を送信する無線送信部３とを備える。また送信器Ａのｈハウジング１０前面には在席用並びに空席用スイッチ２ａ，２ｂをそれぞれ操作するための在席用並びに空席用操作釦８ａ，８ｂが押操作自在に配設されている。而して、在席用操作釦８ａを操作すると表示装置Ｂでは当該席の占有状態を在席表示とし、空席用操作釦８ｂを操作すると表示装置Ｂでは当該席の占有状態を空席表示とするから、送信器Ａを操作する従業員に表示装置Ｂにおける表示状態を認識させることが可能になる。【選択図】　　　　図１
2004013698.tif 000002
【特許請求の範囲】
【請求項１】
複数のスペースにそれぞれ配置されて当該スペースの占有状態をワイヤレス信号で送信する複数の送信器と、送信器から送信されるワイヤレス信号を受信して各スペースの占有状態を表示する表示装置とで構成されるワイヤレス表示システムにおいて、送信器は、少なくとも在／不在に各々対応する複数の操作部を具備し各操作部が操作されたときに在又は不在の占有状態表示データを出力する信号処理手段と、信号処理手段から出力する占有状態表示データをワイヤレス信号で送信するワイヤレス信号送信手段とを備え、表示装置は、送信器から送信されたワイヤレス信号を受信するワイヤレス信号受信手段と、ワイヤレス信号受信手段で受信したワイヤレス信号から占有状態表示データを取得するデータ取得手段と、データ取得手段で取得した占有状態表示データに基づいて当該送信器が配置されたスペースの占有状態を表示する表示手段とを備えたことを特徴とするワイヤレス表示システム。
【請求項２】
複数の操作部の形状又は寸法の少なくとも何れか一方を互いに異ならせたことを特徴とする請求項１記載のワイヤレス表示システム。
【請求項３】
個々の操作部を触覚で識別させるための突起を操作部の操作面に設けたことを特徴とする請求項１又は２記載のワイヤレス表示システム。
【請求項４】
信号処理手段は、何れかの操作部について、当該操作部が所定のしきい値以上の時間だけ操作されたときに占有状態表示データを出力することを特徴とする請求項１又は２又は３記載のワイヤレス表示システム。
【請求項５】
信号処理手段は、在／不在に対応する２つの操作部が同時に操作されたときに当該スペースの占有が予約されたことを示す占有状態表示データを出力することを特徴とする請求項１〜４の何れかに記載のワイヤレス表示システム。
【発明の詳細な説明】
【０００１】
【発明の属する技術分野】
本発明は、複数のスペースにそれぞれ配置されて当該スペースの占有状態をワイヤレス信号で送信する複数の送信器と、送信器から送信されるワイヤレス信号を受信して各スペースの占有状態を表示する表示装置とで構成されるワイヤレス表示システムに関するものである。
【０００２】
【従来の技術】
従来、飲食店やカラオケボックスあるいは駐車場のように多数のスペース（飲食店における席、カラオケボックスにおける個室、駐車場の駐車スペースなど）を有する場所において、厨房やフロントなどの従業員が居る場所で個々のスペースの占有状態（在／不在など）を確認できるようにするために、各スペースに配置されてそのスペースの占有状態をワイヤレス信号で送信する複数の送信器と、上記厨房やフロントなどに設置され、送信器から送信されるワイヤレス信号を受信して各スペースの占有状態を表示する表示装置とを備えたワイヤレス表示システムが提供されている。
【０００３】
例えばレストランのような飲食店において、図９（ａ）に示すように従業員が客を席に案内した際に送信器に設けられた操作部を操作することでワイヤレス信号Ｗ０が表示装置に送信され、そのワイヤレス信号Ｗ０を受信した表示装置においては全ての席の占有状態を個別に表示する表示ランプを備えており、図９（ｂ）に示すようにワイヤレス信号Ｗ０を送信した送信器に対応する表示ランプを消灯から点灯（あるいは点灯から消灯）に切り替えることで当該席に客が居ること（在席）を表示し、客が退席した後に従業員が送信器の操作部を再度操作してワイヤレス信号Ｗ０を送信すると表示装置が当該送信器に対応する表示ランプを点灯から消灯（あるいは消灯から点灯）に切り替えることで当該席に客が居ないこと（空席）を表示するようになっていた。あるいは操作部を操作する毎に表示ランプの点灯と消灯を切り替えるのではなく、図１０に示すように操作部を操作してワイヤレス信号Ｗ０を送信して表示装置の表示ランプが点灯した後、所定時間Ｔ０が経過した時点で強制的に消灯させるようにしたものもあった。
【０００４】
【発明が解決しようとする課題】
ところで上記前者の従来システムにおいては、送信器には１つの操作部しか設けられておらず、操作部が操作される毎に送信されるワイヤレス信号は送信器を識別するＩＤコードを送信するのみであって、表示装置がワイヤレス信号を受信するとＩＤコードを読み取って当該ＩＤコードに対応する表示ランプの点灯と消灯を切り替えていた。このため、送信器を操作した従業員には、表示装置における表示状態がどちらに切り替わっているのかが判らず、誤った操作（操作部の二度押し等）によって実際の占有状態と表示装置における表示状態とが一致しなくなる等の問題が生じる虞があった。なお、上記後者の従来システムでは、客が退席しなくても所定時間Ｔ０が経過した時点で在席表示から空席表示に強制的に切り替えられてしまうため、表示装置における在席／空席の表示と実際の席の占有状態とが食い違ってしまう可能性があり、実用的ではなかった。
【０００５】
本発明は上記事情に鑑みて為されたものであり、その目的は、送信器を操作する者に表示装置における表示状態を認識させることが可能なワイヤレス表示システムを提供することにある。
【０００６】
【課題を解決するための手段】
請求項１の発明は、上記目的を達成するために、複数のスペースにそれぞれ配置されて当該スペースの占有状態をワイヤレス信号で送信する複数の送信器と、送信器から送信されるワイヤレス信号を受信して各スペースの占有状態を表示する表示装置とで構成されるワイヤレス表示システムにおいて、送信器は、少なくとも在／不在に各々対応する複数の操作部を具備し各操作部が操作されたときに在又は不在の占有状態表示データを出力する信号処理手段と、信号処理手段から出力する占有状態表示データをワイヤレス信号で送信するワイヤレス信号送信手段とを備え、表示装置は、送信器から送信されたワイヤレス信号を受信するワイヤレス信号受信手段と、ワイヤレス信号受信手段で受信したワイヤレス信号から占有状態表示データを取得するデータ取得手段と、データ取得手段で取得した占有状態表示データに基づいて当該送信器が配置されたスペースの占有状態を表示する表示手段とを備えたことを特徴とする。
【０００７】
請求項２の発明は、請求項１の発明において、複数の操作部の形状又は寸法の少なくとも何れか一方を互いに異ならせたことを特徴とする。
【０００８】
請求項３の発明は、請求項１又は２の発明において、個々の操作部を触覚で識別させるための突起を操作部の操作面に設けたことを特徴とする。
【０００９】
請求項４の発明は、請求項１又は２又は３の発明において、信号処理手段は、何れかの操作部について、当該操作部が所定のしきい値以上の時間だけ操作されたときに占有状態表示データを出力することを特徴とする。
【００１０】
請求項５の発明は、請求項１〜４の何れかの発明において、信号処理手段は、在／不在に対応する２つの操作部が同時に操作されたときに当該スペースの占有が予約されたことを示す占有状態表示データを出力することを特徴とする。
【００１１】
【発明の実施の形態】
以下、図面を参照して本発明の実施形態を詳細に説明する。本実施形態のワイヤレス表示システムは、複数のスペースにそれぞれ配置される複数の送信器Ａと、送信器Ａから送信されるワイヤレス信号を受信して各スペースの占有状態を表示する表示装置Ｂとで構成され、例えば、レストラン等の飲食店における複数のテーブルに適当な固定手段を用いてそれぞれ送信器Ａが設置されるとともに、来客を席（スペース）に案内するために従業員が待機するレジカウンタのような場所に表示装置Ｂが設置されるものである。但し、本発明に係るワイヤレス表示システムを設置可能な場所はレストラン等の飲食店に限られるものではなく、例えば複数の個室を有した所謂カラオケボックスや複数の駐車スペースを有した駐車場等も含まれ、他にも様々な場所に設置することが可能である。
【００１２】
図１は本実施形態における送信器Ａの構成を示すブロック図である。この送信器Ａは、ＣＰＵを主構成要素とする信号処理部１と、押釦スイッチからなり在席（在）を知らせるために操作される在席用スイッチ２ａと、同じく押釦スイッチからなり空席（不在）を知らせるために操作される空席用スイッチ２ｂと、アンテナ３ａから電波を媒体とするワイヤレス信号を送信する無線送信部３と、信号処理部１からの指令に基づいて無線送信部３から送信するワイヤレス信号の周波数を制御するＰＬＬ制御部４と、ＥＥＰＲＯＭ等の書き換え可能な不揮発性のメモリで構成され、個々の送信器Ａを識別するためのＩＤコード等のデータを記憶するデータ記憶部５と、ワイヤレス信号を送信した際に確認用の送信音を鳴動するスピーカ（図示せず）や動作表示用の表示ランプを具備する報知／表示部６と、電池から電力供給を受けて上記各部の動作用電源を作成する電源部７とを備える。
【００１３】
また、送信器Ａは図２に示す外観構造を有している。送信器Ａのハウジング１０は合成樹脂により扁平な矩形箱形に形成されており、このハウジング１０内に上記各部を構成する電子部品が実装されたプリント配線板（図示せず）を収納している。ハウジング１０の前面には在席用スイッチ２ａ並びに空席用スイッチ２ｂをそれぞれ操作するための在席用操作釦８ａ並びに空席用操作釦８ｂが押操作自在に配設されており、スイッチ２ａ，２ｂと操作釦８ａ，８ｂでそれぞれ在席用及び空席用の操作部を構成している。ここで、在席用操作釦８ａは平面視略四角形に形成され、空席用操作釦８ｂは平面視略円形に形成されており、その形状の違いによって２つの操作釦８ａ，８ｂの識別が可能となっている。また、ハウジング１０前面の一端部には報知／表示部６が具備する表示ランプの発する光を外部に照射するための表示窓１０ａが設けてある。
【００１４】
一方、図３は本実施形態における表示装置Ｂの構成を示すブロック図である。この表示装置Ｂは、ＣＰＵを主構成要素とする信号処理部２０と、複数の送信器Ａから送信されるワイヤレス信号をアンテナ２１ａにより受信する無線受信部２１と、無線受信部２１で受信した信号を復調する復調部２２と、復調した信号を波形整形する波形整形部２３と、信号処理部２０からの指令に基づいて無線受信部２１で受信するワイヤレス信号の周波数を制御するＰＬＬ制御部２４と、ＥＥＰＲＯＭ等の書き換え可能な不揮発性のメモリで構成され、対象とする全ての送信器ＡのＩＤコード等のデータを記憶する記憶部２５と、押釦スイッチ等を具備する操作部２６と、複数の席毎にその在席／空席並びに予約の各占有状態を表示する表示部２７と、ワイヤレス信号を受信した際に確認用の受信音を鳴動するスピーカ等を具備した報知部２８とを備える。
【００１５】
ここで表示部２７は、赤色の発光ダイオードからなる在席／空席表示灯（図示せず）と、緑色の発光ダイオードからなる予約表示灯（図示せず）とを１組とする表示ユニットを複数具備するものであって、記憶部２５に記憶した各送信器ＡのＩＤコードと各表示ユニットが一対一に対応付けられている。また操作部２６は、表示部２７が具備する複数の表示ユニットと一対一に対応付けられた複数個の押釦スイッチ（図示せず）を具備している。
【００１６】
また、表示装置Ｂは図４に示す外観構造を有している。表示装置Ｂのハウジング３０は扁平な矩形箱形に形成されており、上部にはアンテナ２１ａが露設され、上記各部を構成する電子部品が実装されたプリント配線板（図示せず）を内部に収納している。一方、ハウジング３０の前面には各表示ユニットを構成する在席／空席表示灯及び予約表示灯の発する光を外部に照射するための表示窓３１１〜３１ｎが縦横にマトリクス状に配設され、各表示窓３１ｉ（ｉ＝１，２，…，ｎ）近傍の下方には、個々の表示ユニットと一対一に対応付けられた押釦スイッチを操作するための操作釦３２１〜３２ｎが同じく縦横にマトリクス状に配設され、さらに各表示窓３１ｉ（ｉ＝１，２，…，ｎ）近傍の上方には、各表示ユニットに対応する送信器Ａが設置された席を識別する番号や記号等（例えば、テーブル毎に割り当てられている番号等）を印したネームプレート３３１〜３３ｎが取着される。
【００１７】
次に本システムの動作を説明する。
【００１８】
まず起動直後のような初期状態においては、表示装置Ｂの信号処理部２０が表示部２７を制御して全ての表示ユニットの在席／空席表示灯及び予約表示灯を消灯している。来客があると、従業員は表示装置Ｂの在席／空席表示灯を確認し、在席／空席表示灯が消灯、すなわち空席が表示されている席（テーブル）に客を案内する。そして、客を席に案内した後、従業員はその席に設置されている送信器Ａの在席用操作釦８ａを押操作する。送信器Ａでは在席用操作釦８ａが押操作されると在席用スイッチ２ａがオンし、図５（ａ）に示すようにそのオン信号Ｓ１が信号処理部１に入力される。上記オン信号Ｓ１が入力された信号処理部１は、データ記憶部５から読み出したＩＤコードと在席を示す占有状態データ（例えば、「１１」の２ビットのデータ）とを無線送信部３からワイヤレス信号Ｗ１により送信させる（図５（ｃ）参照）。このとき、信号処理部１では報知／表示部６を制御して表示ランプを点滅させるとともにスピーカから確認用の送信音を鳴動させることにより、在席用操作釦８ａを操作した従業員にワイヤレス信号Ｗ１が確かに送信されたことを報知及び表示するようにしている。
【００１９】
一方、表示装置Ｂにおいては、送信器Ａから送信されたワイヤレス信号Ｗ１を無線受信部２１で受信し、復調部２２及び波形整形部２３を経てワイヤレス信号Ｗ１で送られてきた送信器ＡのＩＤコード及び占有状態表示データを信号処理部２０に取り込む。このとき、信号処理部２０では報知部２８を制御して確認用の受信音をスピーカから鳴動させることにより、送信器Ａからワイヤレス信号Ｗ１を受信したことを待機している従業員に報知するようにしている。
【００２０】
さらに信号処理部２０は、取得したＩＤコードを記憶部２５に記憶しているＩＤコードと照合して当該ＩＤコードと一対一に対応付けられている表示ユニットを特定し、表示部２７を制御して当該表示ユニットの在席／空席表示灯を点灯させる。その結果、従業員が客を案内した席に対応する在席／空席表示灯が点灯して空席表示から在席表示に切り替わることになる。
【００２１】
さて、食事の終わった客が退席しそのテーブルの上の食器等を片付けた後、従業員はその席に設置されている送信器Ａの空席用操作釦８ｂを押操作する。送信器Ａでは空席用操作釦８ｂが押操作されると空席用スイッチ２ｂがオンし、図５（ｂ）に示すようにそのオン信号Ｓ２が信号処理部１に入力される。上記オン信号Ｓ２が入力された信号処理部１は、データ記憶部５から読み出したＩＤコードと空席を示す占有状態データ（例えば、「００」の２ビットのデータ）とを無線送信部３からワイヤレス信号Ｗ２により送信させる（図５（ｃ）参照）。このときも、信号処理部１は報知／表示部６を制御して表示ランプを点滅させるとともにスピーカから確認用の送信音を鳴動させることにより、空席用操作釦８ｂを操作した従業員にワイヤレス信号Ｗ２が確かに送信されたことを報知及び表示する。
【００２２】
一方、表示装置Ｂにおいては、送信器Ａから送信されたワイヤレス信号Ｗ２を無線受信部２１で受信し、復調部２２及び波形整形部２３を経て、ワイヤレス信号Ｗ２で送られてきた送信器ＡのＩＤコード及び占有状態表示データを信号処理部２０に取り込む。このときも、信号処理部２０では報知部２８を制御して確認用の受信音をスピーカから鳴動させることにより、送信器Ａからワイヤレス信号Ｗ２を受信したことを待機している従業員に報知する。さらに信号処理部２０は、取得したＩＤコードを記憶部２５に記憶しているＩＤコードと照合して当該ＩＤコードと一対一に対応付けられている表示ユニットを特定し、表示部２７を制御して当該表示ユニットの在席／空席表示灯を消灯させる。その結果、従業員が片づけを終えた席に対応する在席／空席表示灯が消灯して在席表示から空席表示に切り替わることになる。
【００２３】
而して、従来の送信器には操作部が１つしか設けられていないために操作部を操作する従業員は表示装置における表示状態を認識することができなかった。これに対して本実施形態では、在席用操作部（在席用スイッチ２ａ及び在席用操作釦８ａ）と空席用操作部（空席用スイッチ２ｂ及び空席用操作釦８ｂ）を送信器Ａに設けたことによって、在席用操作部を操作すると在席の占有状態表示データがワイヤレス信号Ｗ１で送信器Ａから送信されるために表示装置Ｂでは当該席の占有状態を在席表示とし、空席用操作部を操作すると空席の占有状態表示データがワイヤレス信号Ｗ２で送信器Ａから送信されるために表示装置Ｂでは当該席の占有状態を空席表示とするから、送信器Ａを操作する従業員に表示装置Ｂにおける表示状態を認識させることが可能になる。なお、本実施形態では、表示装置Ｂの操作釦３２ｉを押操作して操作部２６の具備する押釦スイッチからオン信号が入力される毎に、信号処理部２０が表示部２７を制御して操作釦３２ｉに対応する表示ユニットの在席／空席表示灯及び予約表示灯をサイクリックに点灯させるようになっており、例えば、客を案内する前に従業員が操作釦３２ｉを押操作して在席表示に切り替えたり、あるいは電話で席の予約を受け付けたときに操作釦３２ｉを押操作して予約表示に切り替えることができるようにしている。
【００２４】
ところで、送信器Ａはテーブルの目立たない場所（例えば、天板の裏面や側面など）に設置されることが多く、従業者が操作釦８ａ，８ｂを視認して押操作することが困難な場合があるから、本実施形態においては在席用操作釦８ａと空席用操作釦８ｂの形状を異ならせることにより、従業者が目で見て確認しなくても２つの操作釦８ａ，８ｂを判別可能とし、誤操作を防止するようにしている。但し、在席用及び空席用の操作釦８ａ，８ｂの形状を異ならせる代わりに、図６に示すようにそれぞれの操作釦８ａ，８ｂの寸法を異ならせてもよい。あるいは、図７に示すように在席用操作釦８ａと空席用操作釦８ｂを同一形状及び同一寸法に形成し、それぞれの表面（操作面）に互いに形状の異なる突起９を形成するか、若しくは図８に示すように同一形状の突起９を異なる配置で形成するようにしても構わない。
【００２５】
また、操作釦８ａ，８ｂが不用意あるいは無意識に操作されて表示装置Ｂの表示が切り替わることを防ぐために、送信器Ａの信号処理部１では操作釦８ａ，８ｂが押操作されて操作スイッチ２ａ，２ｂが所定のしきい値Ｔ１，Ｔ２以上の時間だけオンされたときに占有状態表示データを出力するようにしている（図５（ａ）（ｂ）参照）。このとき、空席用操作釦８ｂに対するしきい値Ｔ２を比較的大きな値（例えば５００ｍｓ）とし、在席用操作釦８ａに対するしきい値Ｔ１を比較的小さな値（例えば１００ｍｓ）とすることが望ましい。すなわち、従業者が在席用操作釦８ａを押操作した後に不用意あるいは無意識に空席用操作釦８ｂを押してしまった場合に、本来ならば在席表示されなければならない席が誤って空席表示されることによる不都合を回避することができる。
【００２６】
ところで、一般のレストランでは席の予約が可能である場合が多いので、本実施形態では在席と空席の他に予約の占有状態を表示装置Ｂで表示し得るようにしている。すなわち、表示装置Ｂの表示部２７が具備する表示ユニットには在席／空席表示灯と予約表示灯が設けられており、送信器Ａから予約を示す占有状態表示データが送信されると表示装置Ｂの信号処理部２０が表示部２７を制御して当該送信器ＡのＩＤコードに対応する表示ユニットの予約表示灯を点灯させてその席が予約されていることを表示するようにしている。なお、予約表示灯を緑色の発光ダイオードで構成し、在席／空席表示灯を赤色の発光ダイオードで構成することで発光色の違いによって在席と予約の判別を可能としている。ここで、送信器Ａから予約を示す占有状態表示データを送信するには、在席用操作釦８ａと空席用操作釦８ｂを同時に押操作すればよい。つまり、送信器Ａの信号処理部１は、図５に示すように在席用スイッチ２ａと空席用スイッチ２ｂから同時に所定時間以上オン信号Ｓ１，Ｓ２が入力されたときにデータ記憶部５から読み出したＩＤコードと予約を示す占有状態データ（例えば、「１０」の２ビットのデータ）とを無線送信部３からワイヤレス信号Ｗ３により送信させるのである。このように空席及び在席に対応する２つの操作部を予約に対応する操作部と兼用することにより、予約専用の操作部を追加する場合に比較して、使用頻度の高い空席及び在席の操作部の操作性を維持したままで構成の簡略化が図れるという利点がある。なお、信号処理部２０は在席／空席表示灯と予約表示灯を同時に点灯させることはなく、時間的に後から受け取った占有状態表示データに応じて何れ一方の表示灯のみを点灯させるようになっている。
【００２７】
【発明の効果】
請求項１の発明は、複数のスペースにそれぞれ配置されて当該スペースの占有状態をワイヤレス信号で送信する複数の送信器と、送信器から送信されるワイヤレス信号を受信して各スペースの占有状態を表示する表示装置とで構成されるワイヤレス表示システムにおいて、送信器は、少なくとも在／不在に各々対応する複数の操作部を具備し各操作部が操作されたときに在又は不在の占有状態表示データを出力する信号処理手段と、信号処理手段から出力する占有状態表示データをワイヤレス信号で送信するワイヤレス信号送信手段とを備え、表示装置は、送信器から送信されたワイヤレス信号を受信するワイヤレス信号受信手段と、ワイヤレス信号受信手段で受信したワイヤレス信号から占有状態表示データを取得するデータ取得手段と、データ取得手段で取得した占有状態表示データに基づいて当該送信器が配置されたスペースの占有状態を表示する表示手段とを備えたことを特徴とし、在に対応する操作部を操作すると在の占有状態表示データがワイヤレス信号で送信器から送信されるために表示装置では当該スペースの占有状態を在表示とし、不在に対応する操作部を操作すると不在の占有状態表示データがワイヤレス信号で送信器から送信されるために表示装置では当該スペースの占有状態を不在表示とするから、送信器を操作する者に表示装置における表示状態を認識させることが可能になる。
【００２８】
請求項２の発明は、請求項１の発明において、複数の操作部の形状又は寸法の少なくとも何れか一方を互いに異ならせたことを特徴とし、目で見て確認しなくても個々の操作部を判別することができて誤操作が防止できる。
【００２９】
請求項３の発明は、請求項１又は２の発明において、個々の操作部を触覚で識別させるための突起を操作部の操作面に設けたことを特徴とし、目で見て確認しなくても個々の操作部を判別することができて誤操作が防止できる。
【００３０】
請求項４の発明は、請求項１又は２又は３の発明において、信号処理手段は、何れかの操作部について、当該操作部が所定のしきい値以上の時間だけ操作されたときに占有状態表示データを出力することを特徴とし、操作部が不用意あるいは無意識に操作されて表示装置における表示状態が誤って切り替わることが防止できてシステムの信頼性が向上する。
【００３１】
請求項５の発明は、請求項１〜４の何れかの発明において、信号処理手段は、在／不在に対応する２つの操作部が同時に操作されたときに当該スペースの占有が予約されたことを示す占有状態表示データを出力することを特徴とし、在／不在に対応する２つの操作部を予約に対応する操作部と兼用することにより、使用頻度の高い在／不在の操作部の操作性を維持したままで構成の簡略化が図れる。
【図面の簡単な説明】
【図１】実施形態における送信器を示すブロック図である。
【図２】同上における送信器を示し、（ａ）は正面図、（ｂ）は右側面図である。
【図３】同上における表示装置を示すブロック図である。
【図４】同上における表示装置を示す正面図である。
【図５】同上の動作説明用のタイムチャートである。
【図６】同上における送信器の他の構成を示し、（ａ）は正面図、（ｂ）は右側面図である。
【図７】同上における送信器のさらに他の構成を示し、（ａ）は正面図、（ｂ）は右側面図である。
【図８】同上における送信器の別の構成を示し、（ａ）は正面図、（ｂ）は右側面図である。
【図９】従来例の動作説明用のタイムチャートである。
【図１０】他の従来例の動作説明用のタイムチャートである。
【符号の説明】
Ａ　送信器
Ｂ　表示装置
１　信号処理部
２ａ　在席用スイッチ
２ｂ　空席用スイッチ
３　無線送信部
２０　信号処理部
２１　無線受信部
２７　表示部
【図１】
2004013698.tif 000003
【図２】
2004013698.tif 000004
【図３】
2004013698.tif 000005
【図４】
2004013698.tif 000006
【図５】
2004013698.tif 000007
【図６】
2004013698.tif 000008
【図７】
2004013698.tif 000009
【図８】
2004013698.tif 000010
【図９】
2004013698.tif 000011
【図１０】
2004013698.tif 000012